(57)【特許請求の範囲】
【請求項１】
足マットと、
深度検出カメラと、
足の回転の動きを減少させるまたは阻止する足用高所プラットフォームと、
前記深度検出カメラと通信するプロセッサであって、さらに、ユーザが前記足マットの上に一方の足を有し前記足用高所プラットフォームの上に一方の足を有する間、前記深度検出カメラからのデータに基づいて前記ユーザの脚の外周を計算するように構成され、さらに、少なくとも部分的に前記ユーザの前記脚の外周に基づいて、膝または足首のための１セットの予め製造された候補製品から、前記ユーザの前記膝または足首のための推奨製品を選択するように構成されているプロセッサと、
前記プロセッサから受信された情報を表示するための出力装置であって、前記情報が前記ユーザへの前記推奨製品を特定する出力装置と
を備える装置。
【請求項２】
前記足用高所プラットフォームは、１つ、２つ、または３つの足ウェルを備える、請求項１に記載の装置。
【請求項３】
前記足マットは圧力アレイ足マットであり、前記プロセッサは、前記圧力アレイ足マットと通信し、前記ユーザが前記圧力アレイ足マットの上に立つ間、前記圧力アレイ足マットから複数の圧力測定値を受信するように構成されている、請求項１に記載の装置。
【請求項４】
前記プロセッサは、前記ユーザの足のアーチ指数を計算するように構成され、さらに、少なくとも部分的に前記複数の圧力測定値およびアーチ指数に基づいて、両足のための１セットの予め製造された候補製品から、前記ユーザの足のための推奨製品を選択するように構成されている、請求項３に記載の装置。
【請求項５】
前記プロセッサは、前記ユーザの下肢関節の位置を推測し、前記推測された下肢関節からの目標距離で前記ユーザの脚の外周を計算するように適合されている、請求項１に記載の装置。
【請求項６】
前記ユーザが第１の立ち姿勢にある間、及び、前記ユーザが前記深度検出カメラに対して横の立ち姿勢にある間、前記プロセッサは、適合され、前記ユーザの脚の外周を計算し、前記脚のより正確な外周を計算するために、前記２つの計算を組み合わせるように適合されている、請求項１に記載の装置。
【請求項７】
１セットの予め製造された候補製品から、ユーザへの推奨製品を特定するための、装置によるプロセスであって、
前記装置は、
足マットと、
深度検出カメラと、
足の回転の動きを減少させるまたは阻止する足用高所プラットフォームと、
前記深度検出カメラと通信するプロセッサと、
前記プロセッサから受信された情報を表示するための出力装置であって、前記情報が前記ユーザへの前記推奨製品を特定する、出力装置と、
を備える装置であり、
前記プロセスは、
前記ユーザが前記足マットの上に第１の足を有し前記足用高所プラットフォームの上に第２の足を有する間、前記プロセッサが、前記深度検出カメラからのデータに基づいて前記ユーザの脚の外周を計算することと、
前記プロセッサが、少なくとも部分的に前記ユーザの前記脚の外周に基づいて、膝または足首のための１セットの予め製造された候補製品から前記ユーザの膝または足首のための前記ユーザへの推奨製品を選択することと、
を含み、
前記プロセスは、
前記出力装置が、前記膝または足首のための１セットの予め製造された候補製品から前記ユーザの膝または足首のための前記ユーザへの推奨製品、を特定する情報を、前記プロセッサから、受信することと、
前記出力装置が、前記プロセッサから受信された前記情報を表示することと、
を含む、
プロセス。
【請求項８】
前記足用高所プラットフォームは、１つ、２つ、または３つの足ウェルを備える、請求項７に記載のプロセス。
【請求項９】
前記足マットは圧力アレイ足マットであり、前記プロセッサは、前記圧力アレイ足マットと通信し、前記ユーザが前記圧力アレイ足マットの上に立つ間、前記圧力アレイ足マットからの複数の圧力測定値を受信するように構成されている、請求項７に記載のプロセス。
【請求項１０】
前記プロセッサは、前記ユーザの足のアーチ指数を計算するように構成され、前記プロセッサが、さらに、少なくとも部分的に前記複数の圧力測定値およびアーチ指数に基づいて両足のための１セットの予め製造された候補製品から、前記ユーザの足のための推奨製品を選択するように構成され、前記プロセッサから受信された情報が、両足のための１セットの予め製造された候補製品から、前記ユーザの足のための、前記ユーザへの前記推奨製品を特定する、請求項９に記載のプロセス。
【請求項１１】
前記プロセッサは、前記ユーザの下肢関節の位置を推測し、前記推測された下肢関節からの目標距離で前記ユーザの脚の前記外周を計算するように適合されている、請求項７に記載のプロセス。
【請求項１２】
前記ユーザが第１の立ち姿勢にある間、及び、前記ユーザが前記深度検出カメラに対して横の立ち姿勢にある間、前記プロセッサは、適合され、前記ユーザの脚の前記外周を計算し、前記脚のより正確な外周を計算するために、前記２つの計算を組み合わせるように適合されている、請求項７に記載のプロセス。
【発明の詳細な説明】
【背景技術】
【０００１】
肘の装具、腕の装具、前腕−手首の装具、前腕−手首−親指の装具、前腕−手首−手の装具、膝の装具、足首の装具などのような、従来の上下四肢のための矯正器具製品は、典型的に、従来の小売のディスプレイから販売されている。パッケージングがいくつかの案内を提供し得るが、顧客は、顧客自身の体格を考慮して（１または複数の）製品が適切であるということを理解する困難を有し得る。さらに、顧客が製品を試してみる機会を与えられた場合でさえも、顧客は、特定の体の形状、例えば、アーチタイプの顧客の足、膝、または足首の周りの外周、または活動レベルに対して最も適切な支持具のタイプまたは矯正器具製品のサイズを知らない可能性がある。この不確定性は、顧客が顧客の要求を満たす製品を最終的に見つける前に顧客が複数の製品を購入することにつながり得る。
【０００２】
特別注文の矯正器具製品も、顧客に適切なレベルの支持具を提供するために販売されていてもよい。特別注文の矯正器具製品は、調整可能な支持具を有するが顧客の体格に対して適切なサイズでできていない可能性があり、適切な寸法を特定するのにかなりの時間を必要とし得る。いくつかの特別注文の矯正器具製品は、成型可能な材料によって作製してもよい。しかしながら、これは、四肢を測定する時間を必要とし、その後、矯正器具製品を作製するための時間の期間を必要とする。このような矯正器具製品は、特別注文で作製されるので、典型的に、予め製造された矯正器具よりも高価であり得る。また、成型による矯正器具製品を作り出すことによって、一般に、顧客の体格を測定し、測定された身体的特徴に従って矯正器具を作製するまたは注文するという訓練を専門化した。
【０００３】
矯正器具製品の選択に対して顧客を効率的に支援するという問題は、米国特許第８，１１７，９２２号明細書でありその内容全体が参照によって組み込まれた「足の手入れの製品を分配するキオスク」に関する出願人の前の米国特許によって部分的に対処された。足の手入れの製品を分配するキオスクの特許は、両足の底部に関する重要な問題に対処するための矯正器具製品の選択に対処した。
【先行技術文献】
【特許文献】
【０００４】
【特許文献１】米国特許第８，１１７，９２２号明細書
【発明の概要】
【課題を解決するための手段】
【０００５】
１つの実施形態では、本発明は、足マットと、深度検出カメラと、足の回転の動きを減少させるまたは阻止する足用高所プラットフォームと、深度検出カメラと通信するプロセッサであって、さらに、ユーザが足マットの上に一方の足を有し足用高所プラットフォームの上に一方の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備える装置である。
【０００６】
１つの実施形態では、本発明は、足マットと、深度検出カメラと、足の回転の動きを減少させるまたは阻止する足用高所プラットフォームと、深度検出カメラと通信するプロセッサであって、さらに、ユーザが足マットの上に一方の足を有し足用高所プラットフォームの上に一方の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備え、足用高所プラットフォームが、１つ、２つ、または３つの足ウェル（ｆｅｅｔ  ｗｅｌｌ）を備える装置である。
【０００７】
１つの実施形態では、本発明は、足マットと、深度検出カメラと、足の回転の動きを減少させるまたは阻止する足用高所プラットフォームと、深度検出カメラと通信するプロセッサであって、さらに、ユーザが足マットの上に一方の足を有し足用高所プラットフォームの上に一方の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備え、足マットは圧力アレイ足マットであり、プロセッサは、圧力アレイ足マットと通信し、ユーザが圧力アレイ足マットの上に立つ間、圧力アレイ足マットから複数の圧力測定値を受信するように構成されている装置である。
【０００８】
１つの実施形態では、本発明は、足マットと、深度検出カメラと、足の回転の動きを減少させるまたは阻止する足用高所プラットフォームと、深度検出カメラと通信するプロセッサであって、さらに、ユーザが足マットの上に一方の足を有し足用高所プラットフォームの上に一方の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備え、足マットは圧力アレイ足マットであり、プロセッサは、圧力アレイ足マットと通信し、ユーザが圧力アレイ足マットの上に立つ間、圧力アレイ足マットから複数の圧力測定値を受信するように構成され、プロセッサは、ユーザの足のアーチ指数（ａｒｃｈ  ｉｎｄｅｘ）を計算するように構成され、プロセッサは、さらに、少なくとも部分的に複数の圧力測定値およびアーチ指数に基づいて、両足のための１セットの予め製造された候補製品から、ユーザの足のための推奨製品を選択するように構成されている装置である。
【０００９】
１つの実施形態では、本発明は、足マットと、深度検出カメラと、足の回転の動きを減少させるまたは阻止する足用高所プラットフォームと、深度検出カメラと通信するプロセッサであって、さらに、ユーザが足マットの上に一方の足を有し足用高所プラットフォームの上に一方の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備え、プロセッサは、ユーザの下肢関節の位置を推測し、推測された下肢関節からの目標距離でユーザの脚の外周を計算するように適合されている装置である。
【００１０】
１つの実施形態では、本発明は、足マットと、深度検出カメラと、足の回転の動きを減少させるまたは阻止する足用高所プラットフォームと、深度検出カメラと通信するプロセッサであって、さらに、ユーザが足マットの上に一方の足を有し足用高所プラットフォームの上に一方の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備え、プロセッサは、適合され、ユーザが第１の立ち姿勢にある間、ユーザの脚の外周を計算し、ユーザが深度検出カメラに対して横の立ち姿勢にある間、ユーザの脚の外周を計算し、脚のより正確な外周を計算するために、２つの計算を組み合わせるように適合されている装置である。
【００１１】
１つの実施形態では、本発明は、１セットの予め製造された候補製品から、ユーザへの推奨製品を特定するためのプロセスであって、足マットと、深度検出カメラと、足の回転の動きを減少させるまたは阻止する足用高所プラットフォームと、深度検出カメラと通信するプロセッサであって、さらに、ユーザが足マットの上に第１の足を有し足用高所プラットフォームの上に第２の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備える装置を設けることと、プロセッサから受信された情報を表示することとを含み、プロセッサから受信された情報が、膝または足首のための１セットの予め製造された候補製品から、ユーザの膝または足首のための、ユーザへの推奨製品を特定するプロセスである。
【００１２】
１つの実施形態では、本発明は、１セットの予め製造された候補製品から、ユーザへの推奨製品を特定するためのプロセスであって、足マットと、深度検出カメラと、足の回転の動きを減少させるまたは阻止する足用高所プラットフォームと、深度検出カメラと通信するプロセッサであって、さらに、ユーザが足マットの上に第１の足を有し足用高所プラットフォームの上に第２の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備える装置を設けることと、プロセッサから受信された情報を表示することとを含み、プロセッサから受信された情報が、膝または足首のための１セットの予め製造された候補製品から、ユーザの膝または足首のための、ユーザへの推奨製品を特定し、足用高所プラットフォームが、１つ、２つ、または３つの足ウェルを備えるプロセスである。
【００１３】
１つの実施形態では、本発明は、１セットの予め製造された候補製品から、ユーザへの推奨製品を特定するためのプロセスであって、足マットと、深度検出カメラと、足の回転の動きを減少させるまたは阻止する足用高所プラットフォームと、深度検出カメラと通信するプロセッサであって、さらに、ユーザが足マットの上に第１の足を有し足用高所プラットフォームの上に第２の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備える装置を設けることと、プロセッサから受信された情報を表示することとを含み、プロセッサから受信された情報が、膝または足首のための１セットの予め製造された候補製品から、ユーザの膝または足首のための、ユーザへの推奨製品を特定し、足マットは圧力アレイ足マットであり、プロセッサは、圧力アレイ足マットと通信し、ユーザが圧力アレイ足マットの上に立つ間、圧力アレイ足マットからの複数の擬似動的（ｑｕａｓｉ−ｄｙｎａｍｉｃ）圧力測定値を受信するように構成されているプロセスである。
【００１４】
１つの実施形態では、本発明は、１セットの予め製造された候補製品から、ユーザへの推奨製品を特定するためのプロセスであって、足マットと、深度検出カメラと、足の回転の動きを減少させるまたは阻止する足用高所プラットフォームと、深度検出カメラと通信するプロセッサであって、さらに、ユーザが足マットの上に第１の足を有し足用高所プラットフォームの上に第２の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備える装置を設けることと、プロセッサから受信された情報を表示することとを含み、プロセッサから受信された情報が、膝または足首のための１セットの予め製造された候補製品から、ユーザの膝または足首のための、ユーザへの推奨製品を特定し、足マットは圧力アレイ足マットであり、プロセッサは、圧力アレイ足マットと通信し、ユーザが圧力アレイ足マットの上に立つ間、圧力アレイ足マットからの複数の擬似動的圧力測定値を受信するように構成され、ユーザの足のアーチ指数を計算するように構成され、さらに、少なくとも部分的に複数の圧力測定値およびアーチ指数に基づいて両足のための１セットの予め製造された候補製品から、ユーザの足のための推奨製品を選択するように構成され、プロセッサから受信された情報が、両足のための１セットの予め製造された候補製品から、ユーザの足のための、ユーザへの推奨製品を特定するプロセスである。
【００１５】
１つの実施形態では、本発明は、１セットの予め製造された候補製品から、ユーザへの推奨製品を特定するためのプロセスであって、足マットと、深度検出カメラと、足の回転の動きを減少させるまたは阻止する足用高所プラットフォームと、深度検出カメラと通信するプロセッサであって、さらに、ユーザが足マットの上に第１の足を有し足用高所プラットフォームの上に第２の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備える装置を設けることと、プロセッサから受信された情報を表示することとを含み、プロセッサから受信された情報が、膝または足首のための１セットの予め製造された候補製品から、ユーザの膝または足首のための、ユーザへの推奨製品を特定し、プロセッサが、ユーザの下肢関節の位置を推測し、推測された下肢関節からの目標距離でユーザの脚の外周を計算するように適合されているプロセスである。
【００１６】
１つの実施形態では、本発明は、１セットの予め製造された候補製品から、ユーザへの推奨製品を特定するためのプロセスであって、足マットと、深度検出カメラと、足の回転の動きを減少させるまたは阻止する足用高所プラットフォームと、深度検出カメラと通信するプロセッサであって、さらに、ユーザが足マットの上に第１の足を有し足用高所プラットフォームの上に第２の足を有する間、深度検出カメラからのデータに基づいてユーザの脚の外周を計算するように構成され、さらに、少なくとも部分的にユーザの脚の外周に基づいて、膝または足首のための１セットの予め製造された候補製品から、ユーザの膝または足首のための推奨製品を選択するように構成されているプロセッサと、プロセッサから受信された情報を表示するための出力装置であって、情報がユーザへの推奨製品を特定する出力装置とを備える装置を設けることと、プロセッサから受信された情報を表示することとを含み、プロセッサから受信された情報が、膝または足首のための１セットの予め製造された候補製品から、ユーザの膝または足首のための、ユーザへの推奨製品を特定し、プロセッサは、適合され、ユーザが第１の立ち姿勢にある間、ユーザの脚の外周を計算し、ユーザが深度検出カメラに対して横の立ち姿勢にある間、ユーザの脚の外周を計算し、脚のより正確な外周を計算するために、２つの計算を組み合わせるように適合されているプロセスである。
【図面の簡単な説明】
【００１７】
【図１】本開示の１つの実施形態を示すフローチャートである。
【図２】本開示の１つの実施形態を示すフローチャートである。
【図３】本開示の１つの実施形態を示すフローチャート、本開示のユーザインターフェース、および本開示のキオスク構造の１つの実施形態を示す図である。
【図４】本開示のキオスク構造の１つの実施形態を示す図である。
【図５】本開示の、コンピュータで実施されるシステムの１つの実施形態を示す図である。
【図６】本開示のキオスクの１つの例を示す図である。
【図７】本開示のキオスクの１つの例を示す図である。
【図８】本開示のキオスクの１つの例を示す図である。
【図９】本開示のキオスクの１つの例を示す図である。
【図１０】本開示のキオスクの足用高所プラットフォームを示す図である。
【図１１】本開示のキオスクの１つの例を示す図である。
【図１２】本開示のキオスクの画面上の表示を示す図である。
【図１３】立っているものから曲げた脚姿勢（非対称は、ＢＭＩの増加とともに増加する）への脚の非対称を示す図である。
【図１４】本開示のキオスクの１つの例を示す図である。
【図１５】本開示のキオスクの画面上の表示を示す図である。
【発明を実施するための形態】
【００１８】
方法、装置、およびコンピュータが読み出し可能な媒体が、例および実施形態のために本明細書に説明されているが、当業者は、矯正器具製品の選択および／または製造のために顧客の体格を測定するための方法、装置、およびコンピュータが読み出し可能な媒体が説明された実施形態または図面に限定されないということを認識する。開示された特定の形に図面および説明が限定されることが意図されていない点が理解されるべきである。むしろ、目的は、添付の特許請求の範囲の精神および範囲に入る全ての修正形態、均等物、および形態をカバーすることである。本明細書で使用されるいかなる見出しも、単なる組織的な目的のためであり、説明または特許請求の範囲を限定することは意図されていない。本明細書で使用されるとき、「ｍａｙ」という単語は、（すなわち、しなければならないということを意味する）命令的な意味よりもむしろ、（すなわち、可能性を有することを意味する）許可的な意味で使用される。同様に、「ｉｎｃｌｕｄｅ」、「ｉｎｃｌｕｄｉｎｇ」、および「ｉｎｃｌｕｄｅｓ」という単語は、含むことを意味するが、含むことに限定されない。
【００１９】
当業者によって理解されるように、矯正器具製品は、個々に対して向上した適合性または快適さまたは構造的支持を提供するために、足の下に、履物、衣服、若しくは他の覆うものの内側に、または足首、膝、下方の背中、肩、首、肘、および他の関節領域四肢のような大きな荷重を支える関節を覆って直接置いてもよい。矯正器具製品の例は、靴の中敷と、足クッションと、かかとカップ（ｈｅｅｌ  ｃｕｐ）と、足首の装具、ラップ（ｗｒａｐ）、およびテープと、膝の装具、ラップ、およびテープと、肘の装具、ラップ、およびテープと、手首の装具、ラップ、およびテープなどを含む。購入者は、個々の体格に対して適切な矯正器具製品を迅速かつ正確に特定したい可能性がある。例えば、製品は、人の体重、身長、または他の寸法の質と関連して、適切な支持具、サイズ、角度の特徴、および機能を有することを必要としてもよい。結果的に、購入者に利用可能な矯正器具製品を作製する小売業者は、考えられる全ての製品および体格の専門研修および／または知識を有する人を配属しなければならなくなることなしに、このような寸法を測るまたは特別注文で適合する、購入者へのサービスを提供できるようにしたいと思うだろう。そして、それぞれの体格は、独立変数である。
【００２０】
開示された本発明のいくつかの考えられる実施形態では、キオスクは、人の四肢を測定し、人のための推奨矯正器具製品を決定し、推奨製品は、ディスプレイから人によって分配されてもよいし、または選択されてもよい。体重、圧力点、足の大きさ、足の形状などを含むがこれらに限定されない特徴を決定するために、測定値は、人の足を測定するための圧力センサを含む表面で取ってもよい。キオスクは、さらに、計画された活動および／または活動レベルのような追加の関連情報を得るために、人に尋ねてもよい。プロセッサは、例えば、矯正器具製品を人の足の測定値と関連付けてもよい。１つの例の実施形態では、キオスクは、人に指示を提供するビデオスクリーンを含んでもよい。システムは、圧力センサから受信された複数の圧力測定値に少なくとも部分的に基づいて１セットの候補矯正器具製品から推奨矯正器具製品を選択してもよい。１セットの候補矯正器具製品は、在庫品表示領域のキオスクでまたはキオスクの近くで表示してもよく、人は、矯正器具製品の写真、矯正器具製品のモデル番号、色のシンボル、棚の位置などのような、推奨矯正器具製品のしるしが設けられてもよい。人は、提供された入力に基づいて計算されたような個々の体格に従って、人の要求のために最も良く計算された適合性および支持を提供する矯正器具製品を容易に位置させてもよい。代案として、製品は、キオスクから分配してもよく、例えば、キオスクは、自動販売機として構成してもよい。販売される矯正器具製品は、予め製造された矯正器具であってもよく、１セットの候補矯正器具製品は、サイズ、アーチ支持レベル、アーチ指数、クッションレベル（すなわち、発泡体密度、使用されるクッション材料など）のような属性を変更する、１セットの異なるモデルの予め製造された矯正器具であってもよい。提供されるモデルの範囲は、圧倒的多数の潜在的なユーザ母集団に対する適切な支持レベルに適合し提供するのに必要とされるサイズおよびモデルの範囲の中に入っているが、矯正器具製品を必要とする最も一般的な条件に対処するように選択してもよい。代案として、人の体格が小売位置で利用可能ではない矯正器具製品または圧倒的多数の潜在的なユーザ位置に適切な１セットの矯正器具製品の範囲内ではないものを必要とする場合、人の体格に従って適合する矯正器具製品が製造されること、または特定の矯正器具製品が利用可能である他の販売位置を特定することを依頼するように、キオスクは、通信手段を通して、注文システムと連動してもよい。
【００２１】
上下四肢の測定は、上で説明された圧力センサ測定を含む様々な測定機能を利用して達成してもよい。１つの実施形態では、１つまたは複数の撮像センサは、関心の四肢（すなわち、目標の四肢）の２次元モデルまたは３次元モデルを生成するために利用してもよい。非限定的な例によって、キオスクは、関心の四肢および／または関節の３次元モデルを得るために、関心の四肢および／または関節の一部分の３次元表面を決定すること、および関心の四肢および／または関節の裏側を推定することなどにより、四肢（例えば、足首または膝）をスキャンすることができ目標の四肢の３次元容積のモデルを生成する撮像センサを含むように構成してもよい。撮像センサは、赤外線イメージング、範囲イメージング、超音波イメージング、または目標領域の相対距離および特徴を決定するために後方散乱データを利用する、当技術分野で知られたその他の機構も含むがこれらに限定されない１つまたは複数のモードで操作してもよい。撮像センサによって受信されたデータは、関心の四肢の３次元曲線マップを生成するために、プロセッサによって使用してもよい。さらに、撮像センサの組み合わせは、単一のハウジングを共有するまたは共有しないのいずれであれ、関心の四肢の３次元モデルの生成に対する入力を提供してもよい。別の非限定的な例によって、関心の四肢の複数の２次元画像は、それぞれ、関心の四肢の矢状方向のスライスを取り出して、その後、関心の四肢の曲線モデルまたはマップを生成するために、プロセッサによって組み合わせてもよい。小売業者の在庫の場合であれ、特別注文の適合製品の注文を必要とする場合であれ、それぞれの場合に、関心の四肢の生成モデルまたはマッピングは、人の体格を矯正器具製品と関連付けるために、プロセッサへの入力として使用してもよい。
【００２２】
当業者によって理解されるように、衣服は、人の四肢の正確な測定値を得る際の課題である。購入者が半ズボンを着用している、または四肢（例えば、膝）を露出するために引っ張り上げることができるゆったりとした衣服を着用している場合、撮像センサによるより正確な測定値を得ることができる。しかしながら、購入者が衣服（例えば、ズボン、セーターなど）を着用していて、プロセッサが（例えば、色、パターン、不規則な形、ユーザ入力、斜面に基づいて）そのような衣服の存在を検出する場合、プロセッサは、購入者の衣服によって提供された過剰の表面を考慮し、関心の四肢の正確な体格を推定してもよい。結果的に、１つの実施形態において、関心の四肢の第１の生成モデルから過剰の表面領域を推定するために、プロセッサによって使用することができる衣服の特徴のデータベースを提供してもよい。プロセッサは、検出された衣服を様々なカテゴリーに分類してよく、各分類は、関心の四肢の第１の生成されたモデルが調整される重みを提供するということがさらに開示されている。非限定的な例によって、カテゴリーは、衣服ファブリック材料、衣服（例えば、ゆったりとした、ぴったりとした）の適合性を含んでもよいし、または衣服が外側の層であるかまたは内側の層の衣服であるかを含んでもよい。衣服層に対する過度の（不足の）補償（ｃｏｍｐｅｎｓａｔｉｏｎ）を回避するために、そして、正確な測定値を提供するために、プロセッサは、モデルまたはマッピングの表面領域のさらなる推定が中断される、例えば、生成モデルが圧倒的多数の潜在的なユーザ母集団と一致しない、制限またはルールが設けられてもよい。
【００２３】
別の実施形態では、第１の撮像センサは、膝または上側または下側の四肢の他の関連領域が撮像センサの視野内に入るように、圧倒的多数の潜在的なユーザ母集団の平均の膝高さ（または異なる四肢に対する関心領域の平均の高さ／位置）に対する位置でキオスクに設けてもよい。撮像センサは、その視野に関心の四肢を含むのに必要とされるために、旋回するまたは回転するように構成してもよい。第１の撮像センサは、さらに、撮像センサから後退させるようにまたは撮像センサに向かって移動することを人に要求することによって、四肢関心領域をその視野に置くことができるように、いかなる位置に配置してもよい。１つの実施形態では、撮像センサは、圧倒的多数の潜在的なユーザ母集団の平均の骨盤高さに対して固定された位置に配置してもよい。撮像センサは、広い視野が設けられてもよく、および／またはその開始位置に対して異なる視野を包含するために、機械的に旋回するまたは回転するように構成してもよい。
【００２４】
１つの実施形態では、複数の撮像位置は、キオスクに設けてもよい。すなわち、非限定的な例によって、ステップアップバー（ｓｔｅｐ−ｕｐ  ｂａｒｓ）、高所プラットフォーム、および手すりは、（１または複数の）撮像センサの視野内に四肢関心領域を配置することを容易にするために、または広い視野の撮像システムが適切な関心の四肢および／または関節の解析の優先順位を決めることができるようにするために設けてもよい。ステップアップバー、高所プラットフォーム、および手すりは、撮像センサの視野に対する四肢関心領域の配置の微調整を提供するために、固定されていてもよいし、機械的手段によって制御されていてもよい。例えば、ステップアップバーは、人が足をバーの上に置いた状態で、膝が撮像センサの視野内に配置されることを提供してもよいし、または潜在的なユーザ母集団に属する様々な身体的特徴の測定を容易にするように、高さを変更する複数のステップアップバーを設けてもよい。さらに、１つの実施形態では、ステップアップバーは、購入者のステップアップバーの使用によって、モデルへの入力として、正確な撮像および／または測定を可能にするための角度に、そして、その前の特徴の上方および下方で膝の特徴を特定するための、角度に購入者の膝が置かれるように構成してもよい。さらに、高所プラットフォームは、人が足をプラットフォームの上に置いた状態で、足首が撮像センサの視野内に配置されていることを提供してもよいし、または複数のプラットフォームを設けてもよいし、またはプラットフォームは、手動または機械的手段によって高さを調整可能であってもよく、機械的手段は、プロセッサによって制御され、微調整は、四肢関心領域の第１の生成モデルに基づいている。さらに、１つまたは複数の手すりを設けてもよく、それぞれは、人の対応するまたは反対の手による使用を推進するために、キオスクに対して、中心にまたは左側若しくは右側に位置させてもよく、それぞれ、人が手すりを保持した状態で、四肢関心領域、例えば人の肘が、撮像センサの視野内に配置される。手すりは、ステップバー（ｓｔｅｐ  ｂａｒ）または高所プラットフォームまたは他の配置手段を利用する間、人が安全な方法で人を固定できるように、第２の（または場合によっては第１の）目的を提供してもよい。ステップアップバーと同様に、手すりは、購入者の手すりの使用によって、購入者の肘または手首が、モデルへの入力としてより正確な測定および撮像を可能にする角度に置かれるように構成してもよい。
【００２５】
１つの実施形態では、複数の撮像センサを設けてもよく、それぞれは、１つまたは複数の関心の四肢および／または点領域に対して、関連があり理想的に位置している異なる視野を有するように構成されている。複数の撮像センサのそれぞれは、プロセッサへの入力を提供するために独立して、またはプロセッサへの複数の入力ソースとして、四肢関心領域に対して、異なる視点から複数の入力を提供するためのセンサの組み合わせとして、作動してもよい。１つまたは複数の撮像センサは、キオスク領域に対して、または購入者に提供される対話式の若しくはエンターテインメントの合図のためのソースとして、購入者がキオスク領域に撮像センサそのものを適切に向けることを補助するために構成してもよい。非限定的な例によって、１つまたは複数の関連のあるまたは潜在的に関連のある矯正器具製品をプロセッサによって重ね合わせることができる、購入者の体全体の画像を提供して、またはプロセッサがディスプレイを通して購入者に提供することができる合図および対話指示を配置することを生成することができるキオスクに対する購入者位置の参照情報を提供して、購入者がキオスク領域を横切るとき、撮像センサは、売り込む機構または広告する機構として購入者の注意を捕捉するための、プロセッサへの入力を提供してもよい。
【００２６】
１つの実施形態では、視覚的な合図、対話、指示、画像、撮像センサ供給、四肢モデル、購入者への購入者入力リクエストを示すように構成されている、ディスプレイまたはビデオスクリーンが設けられている。１つの実施形態では、ディスプレイは、内容を表示することおよび入力を使用して受信することの両方を可能にする、当技術分野で知られるような容量性タッチインターフェースまたは他の装置であってもよい。いくつかの実施形態では、他の入力機構は、同様に、例えば、キーボード、マウス、スタイラス、非接触ジェスチャー制御（ｎｏｎ−ｃｏｎｔａｃｔ  ｇｅｓｔｕｒｅ  ｃｏｎｔｒｏｌ）、口頭制御（ｏｒａｌ  ｃｏｎｔｒｏｌ）、または他の同様のインターフェース装置を使用してもよい。さらに、実施形態は、購入者の所有物（例えば、スマートフォン、タブレットなど）に存在する装置と相互作用し前記装置に情報を表示するために、インターネットまたはローカル通信手段（例えば、ブルートゥース（登録商標））のいずれかによる無線通信を含んでもよい。
【００２７】
１つの実施形態では、購入者は、キオスクにアプローチするためにプロセッサによって生成されディスプレイを通して示される合図を提供される。プロセッサは、キオスクでのまたはキオスクに対する適切な配置において購入者を補助するために、ディスプレイを通して購入者のリアルタイムの画像または映像を表示してもよい。それら自体をシステムの機能に向けること、および個々の購入者が必要とすることができる関連のある矯正器具製品の範囲を決定することにおいて購入者を補助するために、プロセッサは、ディスプレイを通してユーザに予め書かれた脚本（ｐｒｅ−ｗｒｉｔｔｅｎ  ｓｃｒｉｐｔ）を示してもよい。例えば、購入者は、（１つまたは複数の撮像センサによって提供されるような）一般的な購入者または個々の購入者の異なる領域の骨格のマッピングを選択することを購入者に要求する、プロセッサによるインターフェースを提供されてもよい。選択された領域の骨格のマッピングは、矯正器具製品が利用可能な１つまたは複数の四肢領域に関連付けてもよい。例えば、購入者は、四肢関心領域として、足、膝、または足首を選択するように促され、その後、「負傷の期間はどれぐらいですか？」、「再発した負傷ですか？」、「腫れがありますか？」、「装具を着用している間、どのような活動を行う予定ですか？」のような関連のある特定の質問に回答してもよい。このような関連因子を入力した状態で、購入者は、理想的な矯正器具製品を決定するプロセスを開始するために、高所プラットフォーム、ステップアップバー、または圧力センサの上に、関連のある四肢関心領域に対応する関連のある足を配置するように促されてもよい。１つの実施形態では、関連のある撮像センサに対して足首を露出するために、または、四肢関心領域が膝である場合、購入者の手を使用することによって購入者のズボンを膝の辺りで締め付けるために、購入者は、購入者のズボンを巻き上げるまたは引っ張り上げるように促されてもよい。撮像センサから四肢関心領域に対応する撮像入力を受信するプロセッサは、四肢を再配置する、撮像センサに対して近くに移動させる若しくはさらに後退させる、四肢をさらに露出する、衣服をさらに締め付ける、または購入者に対してエラーを表示するように購入者に指示するために、ディスプレイに対して別の視覚的な合図を生成してもよい。さらに、当業者によって理解されるように、視覚的な合図を提供してもよい。
【００２８】
図１は、購入者からの入力を受信し矯正器具製品推奨物を生成するための方法を示すフローチャートである。ステップ１０１では、対話は、タッチセンサ式の容量性ディスプレイスクリーンであってもよいが、これに限定されない入力手段から、プロセッサによって受信される。受信された情報は、ディスプレイによって、プロセッサによって示される視覚的な合図に応じて提供されもよい。リクエストは、矯正器具製品の選択に関するので、活動レベル、痛みの履歴、四肢を伸ばす能力、快適さのパラメータ、四肢関心領域の特定のような購入者に関する情報を含むが、これらに限定されない。購入者は、四肢関心領域を選択できるようにするディスプレイインターフェースが設けられてもよい。ステップ１０２では、購入者は、プロセッサによって生成されディスプレイによって示される画面上の合図が提供されている。合図は、購入者が、どのように、１つまたは複数の撮像センサの視野内に、１つまたは複数の四肢関心領域を配置することができるかに関する指示およびフィードバックを含む。購入者は、適切となるようにどのように関連の四肢を露出するか、または衣服を調整するかに関する指示を示されてもよい。ステップ１０３では、プロセッサは、１つまたは複数の撮像センサから四肢関心領域に関する撮像データを受信し、四肢関心領域の第１のモデルを生成する。プロセッサは、撮像センサに対する購入者の配置に関する指示または衣服の調整に関連付けるために、購入者に対する第１のモデルの成功または相対的な失敗および／または精度に基づいて、フィードバックを提供してもよい。ステップ１０４では、プロセッサは、購入者に関連するフィードバックの結果として、撮像センサから受信された追加の撮像データによって、反復的に第１のモデルを微調整してもよい。ステップ１０５では、プロセッサは、（１または複数の）四肢関心領域のモデルおよび購入者によって提供された個人的因子（例えば、活動レベルなど）を、最良の適合性を決定するために利用可能な矯正器具製品と関連付けてもよい。最良の適合性の選択は、（例えば、利用可能なサイズのみが小さい、中間である、大きいなどである場合、）モデルに対して可能な限り近い合致である矯正器具製品を選択することをプロセッサに要求してもよい。いくつかの実施形態では、プロセッサは、特別注文の適合製品が、小売業者で利用可能な矯正器具製品と比較して、購入者に対して望ましいということを決定してもよい。ステップ１０６では、プロセッサは、ディスプレイによって、四肢関心領域に対して購入者のために推奨される１つまたは複数の矯正器具製品を示す。
【００２９】
図２は、購入者に対する広告または他のメッセージを表示し、購入者からの入力を受信し、受信された入力に関連付ける１セットの潜在的に関連のある矯正器具製品を生成するための方法を示すフローチャートである。ステップ２０１では、システムまたはキオスクと能動的に関与しなくてもよい購入者に広告が表示される。例えば、購入者は、撮像センサの視野を横切りつつあってもよく、プロセッサは、そのとき、移動する購入者の画像の上に矯正器具製品の画像を重ね合わせてもよく、それによって購入者の注意を得てもよい。ステップ２０２では、購入者がシステムまたはキオスクによって関与した状態で、購入者は、矯正器具製品の要求、痛み領域、および活動歴に関して、入力を提供するように促されてもよい。ステップ２０３では、（１つまたは複数の撮像センサから受信された情報に基づいて生成された購入者のいかなるモデルも含む）購入者の提供された入力および受動的に収集された撮像データに基づいて、１セットの潜在的に関連のある矯正器具製品は、購入者に対して生成され示されてもよい。
【００３０】
図３は、購入者入力を受信し、１つまたは複数の四肢関心領域に対するモデルを生成し、利用可能な情報に関連がある推奨矯正器具製品を示すためのシステムおよび方法を示すフローチャートである。ステップ３０１では、システムは、「適合する」の図形または他の広告に応じて、購入者から最初の対話を受信する。ステップ３０２では、購入者は、矯正器具製品推奨物を受信することに関心がある四肢関心領域を選択する。この例では、購入者は、容量性タッチスクリーン入力装置によって右膝を選択している。ステップ３０３では、購入者は、負傷歴、活動歴、または他の関連入力データに対応する１つまたは複数の質問に回答するように促される。例えば、購入者は、「これは、再発した負傷ですか？」に回答するように促される。ステップ３０４では、購入者は、四肢関心領域と関連した痛みのレベルを表示することができるインターフェースによって示される。ステップ３０５では、購入者は、「活動レベル」を表示することができるインターフェースによって示される。ステップ３０６では、進捗スクリーンは、「あなたについて」の対話式のセッションを完了する際に、進捗を表示するために、購入者に示される。ステップ３０７では、購入者は、選択された四肢関心領域にそれぞれが関連することができるように、１つまたは複数の撮像センサ３１１，３１２の視野内および／または範囲内に配置されることができるように、「後退せよ」という指示を示される。ステップ３０８では、購入者は、四肢関心領域である膝が１つまたは複数の撮像センサの視野内に配置されるように、購入者の膝をステップアップバーまたは高所プラットフォームの上に配置するための指示が示される。示されるように、複数のステップアップバーまたは高所プラットフォームは、四肢関心領域を適切に配置するために設けてもよい。これらの配置支援物のそれぞれの高さおよび位置は調整してもよい。さらに、高さを変更する個人が、（１または複数の）関連撮像センサの視野内および／または範囲内に関心の四肢を最良に置く斜面の一部分の上に足または他の四肢を配置することができるように、配置支援物は、角度が付いた斜面を設けられてもよい。ステップ３０９では、プロセッサは、撮像センサから受信された入力を使用して生成されたモデルに基づいて矯正器具製品推奨物を生成する。ステップ３１０では、購入者は、プロセッサによって提供された指示および推奨物に従い、ディスプレイを通して示される推奨物に対応するように、色分けされることができる、対応する矯正器具製品を選択する。
【００３１】
ここで図４を参照すると、複数の撮像センサ４０１、ディスプレイ４０２、高所プラットフォーム４０３、圧力感知プラットフォーム４０４、および複数の手すり（ｈａｎｄ−ｈｏｌｄｓ）４０５を設けるように構成されたキオスク装置４００が、示されている。圧力感知プラットフォームは、購入者の足／両足に対応する圧力情報および体格、ならびに購入者の体重および／または配置のような他の関連情報を受信するために利用してもよい。（１または複数の）高所プラットフォームは、様々な位置に、そして様々な高さに設けてもよい。（１または複数の）高所プラットフォームは、さらに、手動でまたは機械的に調整できるようにしてもよいし、または自動で機械的に調整できるようにしてもよい。本明細書で開示された高所プラットフォームまたは他の構造を利用するとき、購入者への安定を提供する手段として、手すりを設けてもよい。手すりは、さらに、撮像センサに対して関心の上側の四肢を配置するのに有益なグリップまたはしるしを設けてもよい。
【００３２】
図５を参照すると、コンピューティング環境５００は、少なくとも１つのプロセスユニット５０１およびメモリ５０２を含む。プロセスユニット５０１は、コンピュータが実行可能な命令を実行し、実際のまたは仮想のプロセッサであってもよい。マルチプロセスシステムでは、複数のプロセスユニットは、処理能力を高めるために、コンピュータが実行可能な命令を実行する。メモリ５０２は、揮発性メモリ（例えば、レジスタ、キャッシュ、ランダムアクセスメモリ（ＲＡＭ））、不揮発性メモリ（例えば、リードオンリメモリ（ＲＯＭ）、ＥＥＰＲＯＭ、フラッシュメモリなど）、または２つのうちのいくつかの組み合わせであってもよい。メモリ５０２は、１つまたは複数のプロセッサによって実行されるとき、説明された技術を実施するためのソフトウェア命令５０８を記憶してもよい。メモリ５０２は、１つのメモリ装置または複数のメモリ装置であることができる。
【００３３】
コンピューティング環境は、追加の特徴を有していてもよい。例えば、コンピューティング環境５００は、記憶装置５０４、１つまたは複数の入力装置５０５、１つまたは複数の出力装置５０６、１つまたは複数の撮像センサまたは他のセンサ装置５０３、および１つまたは複数の通信接続装置５０９を含む。バス、コントローラ、またはネットワークのような相互接続機構５０７は、コンピューティング環境５００の構成要素を相互接続する。典型的には、（図示されていない）オペレーティングシステムソフトウェアまたはファームウェアは、コンピューティング環境５００で実行する他のソフトウェアのためのオペレーティング環境を提供し、コンピューティング環境５００の構成要素のアクティビティに連動する。
【００３４】
記憶装置５０４は、取り外し可能であってもよいし、または取り外し不可能であってもよく、情報を記憶するために使用することができコンピューティング環境５００の内部でアクセスすることができる、磁気ディスク、磁気テープ若しくはカセット、ＣＤ−ＲＯＭ、ＣＤ−ＲＷ、ＤＶＤ、または他の媒体を含む。記憶装置５０４は、ソフトウェアに対する命令５０８を記憶してもよい。
【００３５】
（１または複数の）入力装置５０５は、キーボード、マウス、ペン、トラックボール、タッチスクリーン、またはゲームコントローラ、音声入力装置、スキャン装置、デジタルカメラ、リモコン、またはコンピューティング環境５００への入力を提供する別の装置のようなタッチ入力装置であってもよい。（１または複数の）出力装置５０６は、ディスプレイ、テレビ、モニタ、プリンタ、スピーカ、またはコンピューティング環境５００からの出力を提供する別の装置であってもよい。
【００３６】
（１または複数の）通信接続装置５０９は、別のコンピューティングエンティティへの通信媒体に対する通信を可能にする。通信媒体は、コンピュータが実行可能な命令、音声情報若しくは映像情報、または他のデータのような情報を変調データ信号で搬送する。変調データ信号は、信号の情報を符号化するような方法でセットされたまたは変更された１つまたは複数の特徴を有する信号である。非限定の例のために、通信媒体は、電気的な、光学の、ラジオ周波数の（ＲＦ）、赤外線の、音の、または他のキャリアによって実施される有線または無線の技術を含む。
【００３７】
実施は、コンピュータが読み出し可能な媒体の一般的な文脈の中で説明することができる。コンピュータが読み出し可能な媒体は、コンピューティング環境の内部でアクセスすることができる利用可能な媒体である。非限定の例のために、コンピューティング環境５００の内部では、コンピュータが読み出し可能な媒体は、メモリ５０２、記憶装置５０４、通信媒体、および上のいずれかの組み合わせを含む。
【００３８】
もちろん、図５は、単に特定しやすくするために独立した装置として、コンピューティング環境５００、センサ装置５０３、ディスプレイ装置５０６、および入力装置５０５を示す。コンピューティング環境５０５、ディスプレイ装置５０６、および入力装置５０５は、独立した装置（例えば、モニタおよびマウスに電線で接続されたパーソナルコンピュータ）であってもよく、単一の装置（例えば、スマートフォンまたはタブレットのような、タッチディスプレイを有するモバイル装置）、または任意の組み合わせの装置（例えば、タッチスクリーンディスプレイ装置に操作可能につながれたコンピュータ装置、単一のディスプレイ装置および入力装置などに取り付けられた複数のコンピュータ装置）に組み込まれてもよい。コンピューティング環境５００は、セットトップボックス、モバイル装置、パーソナルコンピュータ、または１つまたは複数のサーバ、例えば、ネットワークサーバのファーム、クラスターサーバ環境、若しくはコンピュータ装置のクラウドネットワークであってもよい。
【００３９】
［実施例１］
深度検出カメラ（望ましくはマイクロソフト（登録商標）社Ｋｉｎｅｃｔ（登録商標）バージョン２）は、テスト装置（図６）に装着されている。Ｋｉｎｅｃｔ（登録商標）Ｖ２カメラは、底部からおよそ４０インチで足ステップから３８インチに装着されている（図７）。この位置に装着されたセンサは、最高で胴部の真ん中までの下半身の視野を可能にする（図８）。第２のセンサは、キオスクに装着してもよい（図９）。
【００４０】
足および脚の可変の配置は、脚、足首、および足の外周の正確かつ再現可能な測定を妨げる。これを抑制するために、我々は、足および脚の配置を案内し、一貫した測定プロセスを可能にする足用高所プラットフォーム（図１０）を発明した。足用高所プラットフォームは、ユーザが測定される脚の足を回転させることを減少させるか、または回避するが、測定プロセスを妨げない。望ましくは、足用高所プラットフォームは、少なくとも１つの足ウェル、より望ましくは３つの足ウェル（前スキャン位置では左足および右足のそれぞれに対して１つ、横スキャン位置では左足または右足のいずれか一方に対して１つ）を備える。
【００４１】
膝関節の位置を推測するために、ユーザの脚は、膝のラップおよび／または足首のラップをユーザに推奨することができる、寸法的に正確かつ適切なモデルを開発するために、離れるように十分に間隔をあけて脚を配置した脚を曲げた姿勢でスキャンされる。
【００４２】
最初に、ユーザは、植え付けられた両足の位置を確認するために、両足を足マットセンサアレイの上に位置させて配置される前スキャン位置に配置される。次のステップに対して、ユーザは、高所プラットフォームの上に、測定される脚の足を置く（図１１）。スクリーン上で、ユーザは、リアルタイムでユーザの脚のポイントクラウド（ｐｏｉｎｔ  ｃｌｏｕｄ）を示されると共に、測定のセンサに対して固定された位置に脚を移動するようユーザに更なる指示が示される（図１２）。ユーザが測定のための適切な位置に脚を移動すると、膝関節位置を推測することができ、推測された膝関節から離れた目標距離を（例えば、推測された膝関節の５インチ上方に、そして５インチ下方に）決定することができ、推測された膝関節からそれぞれの目標距離における上方および下方の脚の外周の曲線が計算される。
【００４３】
（推測された膝関節の上方および下方のそれぞれの）目標距離における上方および下方の脚の計算された外周に基づいて、システムは、最終的にユーザのための膝の装具を推奨する。望ましくは、ユーザに対する推奨の膝の装具は、売却時にユーザに直ちに利用可能である。
【００４４】
脚の全体形状が、ボディマス指数（ＢＭＩ）の増加とともに、立ち姿勢と膝を曲げた姿勢との間で大幅に変化し得るので、前スキャン位置のみでは、不正確な寸法の推奨物につながり得る（図１３）。正確度をさらに高めるために、本発明にかかる測定プロセスは、横スキャン位置でユーザと合致する測定をさらに含んでもよい（図１４）。前スキャンと同様に、横測定に対して、脚が適切に分離されること、およびユーザのバランスが取られることを保証するために、両足が、両足の凸位置のための圧力アレイマットの上に最初に置かれ、その後、測定される脚の足が足用高所プラットフォームの上に置かれる。再度、ユーザは、脚適切な測定位置に置くために案内される。横スキャン位置が第１の測定位置である場合、データが横スキャン位置でキャプチャされると（図１５）、ユーザは、前測定がキャプチャされる前スキャン位置に再配置される。代案として、前測定が最初にキャプチャされ、その後、横測定が続いてもよい。２つの計算または測定は、脚のより正確な外周を計算するために組み合わされる。
【００４５】
衣服のタイプに応じて、ユーザは着用している。スキャンによる干渉を制限するために、衣服を少なくしてもよい。ユーザは、脚の外形を良好にスキャンできるようにするために、衣服をつかむように依頼されてもよく、しわを取り除くために衣服を平らにしてもよいし、または特定の方向に衣服を伸ばしてもよい。
【００４６】
説明された実施形態を参照して我々の発明の原理を説明し図示したが、説明された実施形態を、そのような原理から逸脱することなく、配置および細部において修正できることが認識されるだろう。別の方法で示されない場合、本明細書で説明されたプログラム、プロセス、または方法が、いかなる特定のタイプのコンピューティング環境にも関連していないまたは限定されない点が理解されるべきである。様々なタイプの全体の目的または専門化したコンピューティング環境は、本明細書で説明された教示に従う操作によって使用されてもよいし、または前記操作を実行してもよい。ソフトウェアに示された、説明された実施形態の要素は、ハードウェアで実装してもよく、逆の場合も同様である。
【図１】
0006618925.tif 000002
【図２】
0006618925.tif 000003
【図３】
0006618925.tif 000004
【図４】
0006618925.tif 000005
【図５】
0006618925.tif 000006
【図６】
0006618925.tif 000007
【図７】
0006618925.tif 000008
【図８】
0006618925.tif 000009
【図９】
0006618925.tif 000010
【図１０】
0006618925.tif 000011
【図１１】
0006618925.tif 000012
【図１２】
0006618925.tif 000013
【図１３】
0006618925.tif 000014
【図１４】
0006618925.tif 000015
【図１５】
0006618925.tif 000016